(57)【要約】【課題】自動車などに搭載された際に走行中などの振動が作用しても選択した任意の記録媒体の情報を確実に再生できる記録媒体再生装置を提供する。【解決手段】ＣＤチェンジャ１はディスク収容部と分離機構７からなる。ディスク収容部は移動シャーシ１８と突起２９が設けられたホルダ１９からなる。分離機構７は回転部材２５と移動部材２６とカム部材２４からなる。移動部材２６には移動シャーシ１８が取り付けられている。回転部材２５と移動部材２６には第２壁２７が設けられている。カム部材２４は移動シャーシ１８と第２壁２７との間で矢印Ｋに沿って移動自在であり突起２９が係合する案内溝３１が設けられている。移動シャーシ１８とカム部材２４との間とカム部材２４と第２壁２７との間は突起２９が係合する第１及び第２離間溝３９，４０をなしている。【選択図】図１９
2005276356.tif 000002
【特許請求の範囲】
【請求項１】
記録媒体を保持可能な複数の保持部材を積層配列して収容する収容部と、
前記保持部材に保持された記録媒体を再生する再生手段と、
前記収容部に収容された記録媒体の情報記録面と対向する位置に前記再生手段を移動する移動手段と、
一の記録媒体を保持する保持部材と他の記録媒体を保持する保持部材とを前記記録媒体の配列方向に沿って離間する分離手段と、を備えた記録媒体再生装置であって、
前記分離手段は、前記複数の記録媒体の配列方向に移動可能であるとともに前記一つの記録媒体を保持する保持部材が摺動可能に係合する案内溝を有する第１部材と、前記第１部材とは独立して前記配列方向への移動が可能な第２部材とを有し、
前記第１部材と前記第２部材の相対的な移動により、前記他の記録媒体を保持する保持部材が摺動可能に係合する離間溝を形成することを特徴とする記録媒体再生装置。
【請求項２】
前記離間溝は、前記第１部材と前記第２部材の相対的な移動により溝幅が可変することを特徴とする請求項１に記載の記録媒体再生装置。
【請求項３】
前記離間溝は、前記一つの記録媒体を保持する保持部材より上方に位置する他の保持部材と係合する第１離間溝と、前記一つの記録媒体を保持する保持部材より下方に位置する他の保持部材と係合する第２離間溝と、を有し、
前記第１部材と前記第２部材の相対的な移動により前記第１離間溝の溝幅と前記第２離間溝の溝幅とが相対的に可変することを特徴とする請求項２に記載の記録媒体再生装置。
【請求項４】
前記第１離間溝は、前記第２部材の上端に設けられた第１壁と前記第１部材の上面部とで構成され、前記第２離間溝は、前記第２部材の下端に設けられた第２壁と前記第１部材の下面部とで構成されていることを特徴とする請求項３に記載の記録媒体再生装置。
【請求項５】
前記分離手段は、前記第１部材と前記第２部材の各々を同軸的に配するとともに前記第１部材と前記第２部材の各々を回転させる回転部材を有することを特徴とする請求項１乃至４のいずれか一項に記載の記録媒体再生装置。
【請求項６】
前記分離手段は、前記第１部材と前記第２部材との各々を前記配列方向に駆動する単一の駆動源を有することを特徴とする請求項１乃至５のいずれか一項に記載の記録媒体再生装置。
【請求項７】
記録媒体を保持可能な複数の保持部材を積層配列して収容する収容部と、
前記保持部材に保持された記録媒体を再生する再生手段と、
前記収容部に収容された記録媒体の情報記録面と対向する位置に前記再生手段を移動する移動手段と、
一の記録媒体を保持する保持部材と他の記録媒体を保持する保持部材とを前記記録媒体の配列方向に沿って離間する分離手段と、を備えた記録媒体再生装置であって、
前記分離手段は、前記一の保持部材から離れる方向に前記他の保持部材を摺動させる分割可能な摺動面を有することを特徴とする記録媒体再生装置。
【請求項８】
前記記録媒体を前記収容部内外に亘って搬送する搬送手段と、を備え
前記分離手段は、前記複数の記録媒体の配列方向に移動可能であるとともに前記一の保持部材が摺動可能に係合するカム部材と、前記搬送手段により記録媒体を搬送する際に前記摺動面を分割すべく前記摺動面の一部を前記配列方向に移動させる摺動部移動手段と、を有し、
前記移動手段により前記再生手段を移動する際は、前記カム部材と前記摺動面とによって離間溝が形成され、前記搬送手段により記録媒体を搬送する際は、前記カム部材と、前記摺動部移動手段によって分割された分割摺動面によって離間溝が形成され、
前記他の保持部材は、前記離間溝に係合し前記摺動面又は前記分割摺動面に沿って摺動することにより前記一の保持部材から離れる方向に移動することを特徴とする請求項７に記載の記録媒体再生装置。
【請求項９】
前記摺動部は、各々が同じ方向に向かって傾斜する傾斜面を有する第１摺動部と第２摺動部を備えており、
前記搬送手段により前記記録媒体を搬送するときは、前記摺動部移動手段が前記第１又は第２摺動部のいずれか一方を他方に対して移動することにより前記摺動面の一部が分割されることを特徴とする請求項７又は８に記載の記録媒体再生装置。
【発明の詳細な説明】
【技術分野】
【０００１】
本発明は、自動車などに搭載される記録媒体再生装置に関し、更に詳しくは、複数の記録媒体を機器本体内に収容し、これらの記録媒体のうち一つの記録媒体に記録された情報を再生する記録媒体再生装置に関する。
【背景技術】
【０００２】
コンパクトディスク（以下、ＣＤと記す）などの記録媒体を搬送して収容部に複数枚収容し、これら複数の記録媒体から任意の一つの記録媒体の情報を再生する記録媒体再生装置が用いられている（例えば、特許文献１参照）。この種の記録媒体再生装置１０１は、例えば、自動車などに搭載されるとともに、図１に示すように、図示しない機器本体と、収容部に設けられた複数の保持部材１０２と、コイルばね１０３と、カム部材１０４と、図示しない光ピックアップ６６を備えている。
【０００３】
機器本体は、箱状に形成されている。保持部材１０２は、それぞれ、記録媒体を保持する。保持部材１０２には、それぞれ、突起１０５が設けられている。複数の保持部材１０２は、互いに重ねられている。さらに、複数の保持部材１０２は、互いに接離自在に設けられている。複数の保持部材１０２は、機器本体内の収容部に収容されている。
【０００４】
コイルばね１０３は、複数の保持部材１０２を互いに近づける方向に付勢している。カム部材１０４は、くさび状に形成されているとともに、先端部が鋭角に形成されている。カム部材１０４は、鋭角に形成された先端部にカム孔１０６を設けている。カム孔１０６は、先端部に開口している。カム孔１０６内には、保持部材１０２の突起１０５が侵入可能である。カム部材１０４は、鋭角な先端部即ちカム孔１０６が複数の保持部材１０２の突起１０５と相対した状態に設けられている。カム部材１０４は、複数の保持部材１０２が互いに重なる方向Ｌ（図１中に矢印で示す）と、この矢印Ｌに対し直交する方向Ｍ（図１中に矢印で示す）との双方に沿って、図示しない駆動手段により移動自在に設けられている。カム部材１０４は、図１中の左右及び上下方向に沿って移動自在に設けられている。
【０００５】
光ピックアップ６６は、複数の保持部材１０２のうち任意に選択された一つの保持部材１０２に保持された記録媒体の情報を再生する。
【０００６】
前述した構成の記録媒体再生装置１０１は、複数の保持部材１０２から任意に一つの保持部材１０２に保持された記録媒体が選択されると、図２に示すように、選択された記録媒体を保持した保持部材１０２の突起１０５にカム孔１０６が矢印Ｍに沿って相対するように、カム部材１０４を移動させる。なお、図２では、図中上から３番目の保持部材１０２の突起１０５にカム孔１０６を相対させている。そして、カム部材１０４を、矢印Ｍに沿って移動して、徐々に突起１０５に近づける。
【０００７】
すると、図３に示すように、カム孔１０６内に選択された保持部材１０２の突起１０５が侵入するとともに、他の保持部材１０２の突起１０５がカム部材１０４の外縁に接触する。さらに、カム孔１０６の奥に突起１０５が侵入するように、カム部材１０４を矢印Ｍに沿って移動させていくと、図４に示すように、コイルばね１０３の付勢力に抗して、前述した他の保持部材１０２の突起１０５がカム部材１０４の外縁部上を摺動する。こうして、任意に選択された記録媒体を保持した保持部材１０２を、他の保持部材１０２から間隔をあけて配置する。そして、光ピックアップ６６が、任意に選択された記録媒体を保持した保持部材１０２と他の保持部材１０２との間に侵入して、前述した任意に選択された記録媒体の情報を再生する。
【特許文献１】特開２００２−３０４８００号公報
【発明の開示】
【発明が解決しようとする課題】
【０００８】
しかしながら、前述した従来の記録媒体再生装置１０１は、コイルばね１０３により保持部材１０２を互いに近づける方向に付勢している。このため、自動車に搭載された際に、該自動車の走行中の振動により、保持部材１０２が振動することがある。このため、複数の記録媒体のうち任意に選択された一つの記録媒体から情報を読み出す際に、カム部材１０４を移動させると、選択した記録媒体を保持した保持部材１０２以外の保持部材１０２の突起１０５がカム孔１０６内に侵入する虞があった。
【０００９】
この場合、任意に選択した記録媒体以外の記録媒体が誤って選択されてしまう虞があった。
【００１０】
また、そのような不具合を解消するためにコイルばね１０３を使用せずカム部材１０４の外縁に接触する他の保持部材１０２の突起１０５を摺動させるための摺動カムを利用することが考えられる。その場合、摺動カムはカム部材１０４とともに複数の記録媒体の配列方向に移動する。上記した従来の記録媒体再生装置では、単一の挿入口から順次記録媒体を挿入して収容部に収容させる構成を採っているため、記録媒体を挿入口から挿入又は排出する際はその挿入口に対して一の保持部材を位置付ける必要があり、そのような構成とした場合、カム部材１０４のみでなく摺動カムを配列方向に移動しなければならないため、装置自体の高さ方向の厚みを大きくしなければならないという不具合がある。
【００１１】
本発明の目的は、例えば、自動車などに搭載された際に、走行中などの振動が作用しても、選択した任意の記録媒体の情報を確実に再生することが可能な記録媒体再生装置、又は、装置の大型にすることなく自動車などに搭載された際に、走行中などの振動が作用しても、選択した任意の記録媒体の情報を確実に再生することが可能な記録媒体再生装置、を提供することにある。
【課題を解決するための手段】
【００１２】
請求項１に記載の記録媒体再生装置は、記録媒体を保持可能な複数の保持部材を積層配列して収容する収容部と、前記保持部材に保持された記録媒体を再生する再生手段と、前記収容部に収容された記録媒体の情報記録面と対向する位置に前記再生手段を移動する移動手段と、一の記録媒体を保持する保持部材と他の記録媒体を保持する保持部材とを前記記録媒体の配列方向に沿って離間する分離手段と、を備えた記録媒体再生装置であって、前記分離手段は、前記複数の記録媒体の配列方向に移動可能であるとともに前記一つの記録媒体を保持する保持部材が摺動可能に係合する案内溝を有する第１部材と、前記第１部材とは独立して前記配列方向への移動が可能な第２部材とを有し、前記第１部材と前記第２部材の相対的な移動により、前記他の記録媒体を保持する保持部材が摺動可能に係合する離間溝が形成されることを特徴としている。
【００１３】
また、請求項７に記載の記録媒体再生装置は、記録媒体を保持可能な複数の保持部材を積層配列して収容する収容部と、前記記録媒体を前記収容部内外に亘って搬送する搬送手段と、前記保持部材に保持された記録媒体を再生する再生手段と、前記収容部に収容された記録媒体の情報記録面と対向する位置に前記再生手段を移動する移動手段と、一の記録媒体を保持する保持部材と他の記録媒体を保持する保持部材とを前記記録媒体の配列方向に沿って離間する分離手段と、を備えた記録媒体再生装置であって、前記分離手段は、前記一の保持部材から離れる方向に前記他の保持部材を摺動させる分割可能な摺動面を有することを特徴としている。
【発明を実施するための最良の形態】
【００１４】
以下、本発明の一実施形態にかかる記録媒体再生装置を説明する。本発明の一実施形態にかかる記録媒体再生装置は、複数の記録媒体の配列方向に移動可能であるとともに一の記録媒体を保持する保持部材と係合する案内溝を有する第１部材と、第１部材とは独立して複数の記録媒体の配列方向への移動が可能な第２部材とを備え、第１部材と第２部材との相対的な移動により他の保持部材と係合する離間溝が形成される。このように、一つの記録媒体を保持する保持部材を案内溝に係合させ、他の保持部材を離間溝に係合することで、一つの記録媒体を保持する保持部材を他の保持部材から分離できるようにしている。こうすることで、がたつくことなく保持部材を位置決めできかつ保持部材に保持された記録媒体を再生できるようにしたものである。
【００１５】
また、離間溝の溝幅が、カム部材と移動部材の相対的な移動により可変するようにしても良い。
【００１６】
さらに、離間溝が、一つの記録媒体を保持する保持部材より上方に位置する他の保持部材と係合する第１離間溝と、一つの記録媒体を保持する保持部材より下方に位置する他の保持部材と係合する第２離間溝とを備え、第１及び第２離間溝の溝幅が、カム部材と移動部材の相対的な移動により可変するようにしても良い。
【００１７】
また、第１離間溝が、移動部材に設けられた第１壁とカム部材との上面部とで構成され、第２離間溝が、移動部材に設けられた第２壁とカム部材との下面部とで構成されても良い。
【００１８】
さらに、分離手段が、カム部材と移動部材と同軸に配され、これらを回転させる回転部材を備えても良い。
【００１９】
また、分離手段が、カム部材と移動部材とを、それぞれ、保持部材の配列方向に駆動する単一の駆動源を有しても良い。
【００２０】
また、一の記録媒体を保持する保持部材と他の記録媒体を保持する保持部材とを前記記録媒体の配列方向に沿って離間する分離手段は、一の保持部材から離れる方向に前記他の保持部材を摺動させる分割可能な摺動面を有する。これにより、例えば、記録媒体を搬送する際にはその摺動面を分割するようにしている。このように、搬送手段により記録媒体を搬送する際には、保持部材の摺動範囲が短いことから再生時に利用される摺動面の一部を分割してその分割された摺動面にて他の保持部材を摺動させている。そうすることで、搬送手段によって記録媒体を搬送するときは、使用されない摺動面を移動させずに必要となる摺動面のみを移動させて保持部材を摺動させているため、装置自体の高さ方向の厚みを大きくすることなく選択された任意の記録媒体の情報を確実に再生することができる。
【実施例】
【００２１】
以下、本発明の一実施例にかかる記録媒体再生装置の一例としてのＣＤチェンジャ１を、図５ないし図４１に基づいて説明する。図５などに示すＣＤチェンジャ１は、自動車などの移動体に装備されて、記録媒体としてのＣＤ２（図６などに示す）を複数収容して、これらのＣＤ２から任意のＣＤ２に記録された情報を読み出（再生）して、音声として出力する装置である。ＣＤ２は、勿論、円板状即ちディスク状に形成されており、コンピュータなどの電子機器で読みとることのできる情報を記録した記録媒体である。
【００２２】
ＣＤチェンジャ１は、図６に示すように、機器本体３（図５に示す）と、図示しない操作部と、ディスク搬送部４と、ディスク再生部５と、収容部としてのディスク収容部６と、分離手段としての分離機構７とを備えている。なお、以下、図６中の矢印ＸをＣＤチェンジャ１の幅方向と記し、矢印ＹをＣＤチェンジャ１の奥行き方向と記し、矢印ＺをＣＤチェンジャ１の厚み方向と記す。
【００２３】
機器本体３は、合成樹脂からなる図５に示す外側ケース８と、板金などからなる図６などに示す固定シャーシ９などを備えている。外側ケース８は、扁平な箱状に形成されている。外側ケース８には、ＣＤ２を出し入れ可能な挿入口１０が設けられている。挿入口１０は、外側ケース８の外壁を貫通している。挿入口１０は、内側にＣＤ２を通すことができる。挿入口１０を通して、前記ＣＤ２は、外側ケース８即ち機器本体３内に収容されたり、該機器本体３内から排出される。
【００２４】
固定シャーシ９は、外側ケース８内に収容されているとともに、該外側ケース８に固定されている。固定シャーシ９は、図７に示すように、板状の底板１１と、この底板１１の外縁から立設した周板１２とを備えている。底板１１は、外側ケース８の図５中下側に位置する壁上に重ねられている。
【００２５】
操作部は、機器本体３と別体でかつこの機器本体３に接続している。操作部は、ＣＤチェンジャ１の使用者により押圧されるなどして操作される。操作部は、使用者に操作されることで、挿入口１０を通して機器本体３内に挿入されるＣＤ２を保持する後述のホルダ１９を設定するために用いられる。操作部は、使用者に操作されることで、挿入口１０を通して機器本体３外に排出されるＣＤ２を保持したホルダ１９を設定するために用いられる。操作部は、使用者に操作されることで、複数のホルダ１９に保持されたＣＤ２のうち情報を読み出すＣＤ２を設定するために用いられる。
【００２６】
ディスク搬送部４は、機器本体３内に収容されており、図６に示すように、ローラアーム１３と、ローラ１４とを備えている。ローラアーム１３は、板金などからなり、長手方向が機器本体３の幅方向Ｘに沿った帯状に形成されている。ローラアーム１３は、挿入口１０の近傍に配され、機器本体３の固定シャーシ９に取り付けられている。
【００２７】
ローラ１４は、ローラアーム１３に軸芯周りに回転自在に支持されている。ローラ１４の軸芯即ち長手方向は、ＣＤチェンジャ１の幅方向Ｘに沿っている。ローラ１４は、外周面に挿入口１０内を通されるＣＤ２が接触する。ローラ１４は、複数の歯車１５などを介して後述の駆動源としてのモータ４１により、軸芯周りに回転される。ローラ１４の外周面にＣＤ２が接触し、ローラ１４がモータ４１により回転駆動されることで、ディスク搬送部４は、挿入口１０内にＣＤ２を通す。
【００２８】
ディスク再生部５は、機器本体３内に収容されており、図７に示すように、移動シャーシ１６と、揺動シャーシ１７と、移動手段としての移動機構６０と、図示しないピックアップ再生部と、を備えている。移動シャーシ１６は、板金などからなり、枠状に形成されている。移動シャーシ１６は、ディスク収容部６のホルダ１９の配列方向（互いに重なる方向）Ｋ（図７などに矢印で示す）に沿って移動自在に、固定シャーシ９の周板１２などに支持されている。
【００２９】
揺動シャーシ１７は、板金などからなり、帯板状に形成されている。揺動シャーシ１７は、一端部を中心として回動自在に移動シャーシ１６に支持されている。揺動シャーシ１７は、一端部を中心として回動することで、ディスク収容部６に収容される複数のＣＤ２間に他端部が侵入する状態と、ディスク収容部６に収容される複数のＣＤ２間から他端部が抜け出る状態とに亘って変位自在になっている。
【００３０】
移動機構６０は、図７などに示すように、第１のスライドシャーシ６１と、第２のスライドシャーシと、揺動アーム６３とを備えている。第１のスライドシャーシ６１は、板金からなり、水平部６４と、鉛直片６５とを一体に備えている。水平部６４は、平板状に形成され、かつ固定シャーシ９の板状の底板１１上に重ねられている。
【００３１】
水平部６４は、他端部が複数のＣＤ２間から抜け出た状態の揺動シャーシ１７の長手方向に沿ってスライド自在に前記底板１１に支持されている。水平部６４は、分離機構７の後述するモータ２０の駆動力により、他端部が複数のＣＤ２間から抜け出た状態の揺動シャーシ１７の長手方向に沿って移動する。鉛直片６５は、水平部６４の縁から上方即ち第２のスライドシャーシに向かって延びている。
【００３２】
第２のスライドシャーシは、板金からなり、平板状に形成されている。第２のスライドシャーシは、移動シャーシ１６と底板１１との間に配されているとともに、移動シャーシ１６に重ねられている。第２のスライドシャーシは、他端部が複数のＣＤ２間から抜け出た状態の揺動シャーシ１７の長手方向に沿ってスライド自在に移動シャーシ１６に支持されている。
【００３３】
また、第２のスライドシャーシには、前述した鉛直片６５が係止している。このため、第２のスライドシャーシは、鉛直片６５とともに、モータ２０の駆動力により、他端部が複数のＣＤ２間から抜け出た状態の揺動シャーシ１７の長手方向に沿って移動する。
【００３４】
揺動アーム６３は、板金からなり、平板状に形成されている。揺動アーム６３の平面形状は、図７に示すように、略く字状に形成されている。揺動アーム６３は、前述した移動シャーシ１６に中央部を中心として回転自在に支持されている。揺動アーム６３は、一端部が前述した第２のスライドシャーシに連結している。揺動アーム６３は、他端部が揺動シャーシ１７に回転自在に連結している。揺動アーム６３は、第２のスライドシャーシが前述した長手方向に沿ってスライドすると、中央部を中心として回転して、揺動シャーシ１７の一端部を中心として、該揺動シャーシ１７を揺動させる。
【００３５】
移動機構６０は、モータ２０の駆動力により、第１のスライドシャーシ６１と第２のスライドシャーシを移動させるとともに、揺動アーム６３を回転して、一端部を中心として揺動シャーシ１７を揺動させる。移動機構６０は、一端部を中心として揺動シャーシ１７を揺動することで、ホルダ１９に保持されたＣＤ２の情報記録面と対向する位置に後述の光ピックアップ６６を移動する。
【００３６】
ピックアップ再生部は、揺動シャーシ１７に設けられている。ピックアップ再生部は、ターンテーブルと、ピックアップ部などを備えている。ターンテーブルは、回転テーブルと、スピンドルモータと、複数のクランプ爪とを備えている。回転テーブルは、揺動シャーシ１７の他端部に回転自在に支持されている。回転テーブルは、円板状に形成されており、表面上にＣＤ２が置かれる。
【００３７】
スピンドルモータは、揺動シャーシ１７の他端部と回転テーブルとの間に設けられている。スピンドルモータは、回転テーブルを回転する。クランプ爪は、回転テーブルの表面から突没自在に設けられている。クランプ爪は、回転テーブルの表面から突出すると、回転テーブル上のＣＤ２の中央孔内に突出して、回転テーブルとの間にＣＤ２を挟む。クランプ爪は、回転テーブルとの間に挟むことで、ＣＤ２をクランプする。
【００３８】
ピックアップ部は、図７中に二点鎖線で示す再生手段としての光ピックアップ６６と、ピックアップ移動部とを備えている。光ピックアップ６６は、ターンテーブルに接離する方向に移動自在に揺動シャーシ１７に支持されている。光ピックアップ６６は、ターンテーブルに支持されたＣＤ２から情報を読み出す。即ち、光ピックアップ６６は、ホルダ１９に保持されたＣＤ２を再生する。ピックアップ移動部は、光ピックアップ６６をターンテーブルに接離させる。なお、本実施形態における接離とは、一つのものが他のものに対して近づいたり離れたりすること、及びそれらが互いに近づいたり離れたりすることである。
【００３９】
ディスク再生部５は、揺動シャーシ１７の他端部がＣＤ２間に侵入して、ターンテーブルのクランプ爪がＣＤ２をクランプするとともに、ターンテーブルの回転テーブルがＣＤ２を回転する。ディスク再生部５は、ピックアップ部の光ピックアップ６６が、ターンテーブルにより回転されたＣＤ２から情報を読み出す。
【００４０】
ディスク収容部６は、機器本体３内に収容されており、図７に示すように、第１壁としての移動シャーシ１８と、複数の保持部材としてのホルダ１９とを備えている。移動シャーシ１８は、板金などからなり、板状に形成されている。移動シャーシ１８は、固定シャーシ９の底板１１と間隔をあけて平行に配されている。移動シャーシ１８は、固定シャーシ９の底板１１との間にディスク再生部５を位置付けている。移動シャーシ１８は、前述した矢印Ｋに沿って移動自在に固定シャーシ９の周板１２などに支持されている。
【００４１】
ホルダ１９は、合成樹脂からなり、板状に形成されている。ホルダ１９の平面形状は、Ｃ字状に形成されている。ホルダ１９は、底板１１と移動シャーシ１８との双方と平行な状態で、移動シャーシ１８に支持されている。ホルダ１９は、そのＣ字状に形成された開口部が挿入口１０と相対する状態に配されている。
【００４２】
ホルダ１９は、挿入口１０を通して機器本体３に挿入されたＣＤ２が、開口部を通して内側に侵入することで、このＣＤ２を保持する。複数のホルダ１９は、各々が保持するＣＤ２の表面が互いに平行になるように、互いに重ねられて配されている。ホルダ１９は、前記矢印Ｋに沿って移動自在に移動シャーシ１８などに支持されている。各々のホルダ１９には、外方向に向かって突出した突起２９（図１９ないし図３３に示す）が設けられている。ディスク収容部６は、ＣＤ２を保持可能な複数のホルダ１９を積層配列して収容する。
【００４３】
分離機構７は、機器本体３内に収容されており、モータ２０（図７に示す）と、離間溝拡縮機構２１（図１０ないし図１４に示す）と、連動移動機構２２（図３４ないし図４１に示す）とを備えている。モータ２０は、図７に示すように、固定シャーシ９に固定されている。
【００４４】
離間溝拡縮機構２１は、図９に示すように、３つ設けられており、機器本体３の隅部に設けられている。離間溝拡縮機構２１は、図１０ないし図１８に示すように、円柱状に形成されており、回転部材２５と、第２部材としての移動部材２６と、第１部材としてのカム部材２４とを備えている。
【００４５】
回転部材２５は、図１６ないし図１８に示すように、互いに同軸に配された円板部６８と、円柱部６９とを一体に備えている。円板部６８は、円板状に形成され、固定シャーシ９の底板１１に軸芯周りに回転自在に支持されている。円柱部６９は、円柱状に形成されており、円板部６８から立設している。
【００４６】
回転部材２５の軸芯は、前述した矢印Ｋと平行に配されている。回転部材２５は、円板部６８の外縁部に設けられた歯が底板１１に回転自在に設けられた複数の歯車６７に噛み合っている。回転部材２５は、これらの歯車６７を介して、前述したモータ２０の出力軸に取り付けられたピニオンと接続している。回動部材２５は、モータ２０の駆動力により歯車６７とともに軸芯周りに回転される。回転部材２５がモータ２０の駆動力により軸芯周りに回転されることは、本明細書に記した回転部材２５がモータ２０の駆動力により移動されることを示している。回転部材２５は、移動部材２６とカム部材２４の各々を同軸的に配するとともに、移動部材２６とカム部材２４の各々を回転させる。
【００４７】
移動部材２６は、図１５ないし図１８に示すように、円管状に形成されており、回転部材２５の外周に取り付けられてこの回転部材２５と同軸に配されている。移動部材２６と回転部材２５とは、回転部材２５に設けられた突起７０と、移動部材２６に設けられたキー溝とからなるキーにより互いに取り付けられている。移動部材２６は、前述した矢印Ｋに沿って移動自在に回転部材２５に取り付けられている。移動部材２６は、カム部材２４とは独立して、矢印Ｋに沿って、移動可能である。さらに、移動部材２６の底板１１から離れた側の縁（上端）には、係止溝７１が設けられている。また、移動部材２６は、前述した回転部材２５と一体に（連動して）前述した軸芯周りに回転する。
【００４８】
また、前述した回転部材２５と移動部材２６には、図１９ないし図３３に示すように、第１壁としての移動シャーシ１８が取り付けられているとともに、摺動部としての第２壁２７が設けられている。この第２壁２７は、後述の連結壁２８から離れる方向であり、その上方から下方に向かって傾斜した傾斜面７４ａ，７４ｂを有している。この傾斜面７４ａ，７４ｂはホルダ１９の突起２９が摺動する摺動面に相当する。第２壁２７は、第１摺動部としての第２壁２７ａと第２摺動部としての第２壁２７ｂとにより構成される。移動シャーシ１８と第２壁２７は、移動部材２６の軸芯方向の両縁に設けられており、矢印Ｋと平行な軸芯に沿って互いに間隔をあけて配されている。このため、移動シャーシ１８と第２壁２７は、移動部材２６の両縁から外周方向に突出している。
【００４９】
移動シャーシ１８は、移動部材２６の固定シャーシ９の底板１１から離れた側の縁に設けられた係止溝７１に係止して、取り付けられている。このことを、本明細書では、第１壁としての移動シャーシ１８が移動部材２６の上端に設けられているという。このため、移動部材２６は、移動シャーシ１８と一体に（連動して）矢印Ｋに沿って移動する。また、移動シャーシ１８は、移動部材２６などが軸芯周りに回転することを許容する（妨げない）。移動シャーシ１８は、前述した矢印Ｋに対し直交する方向に沿った平板状に形成されている。
【００５０】
第２壁２７ａは、回転部材２５に設けられ、第２壁２７ｂは移動部材２６に設けられている。回転部材２５では、第２壁２７ａは、図１５ないし図１８に示すように、円板部６８の外縁から立設しており、断面形状が回転部材２５の軸芯を中心とした円弧状に形成されている。このため、第２壁２７ａは、円板部６８の外周に配されている。また、第２壁２７ａは、上述した傾斜面７４ａ，７４ｂの一部を構成する第１傾斜面７４ａを有している。
【００５１】
移動部材２６では、第２壁２７ｂは、図１５ないし図１８に示すように、固定シャーシ９の底板１１寄りの縁（即ち、移動部材２６の下端）に設けられている。第２壁２７ｂは、移動部材２６の外周に配され、移動部材２６と同軸に配されている。第２壁２７ｂは、後述の連結壁２８と第２壁２７ａとの間に配されており、移動部材２６の矢印Ｋ方向への移動により同方向に移動する。また、第２壁２７ｂは、上述した傾斜面７４ａ，７４ｂの一部を構成する第２傾斜面７４ｂを有している。移動部材２６が回転部材２５に対して矢印Ｋ方向における上方に向かって所定距離移動すると、第２壁２７ｂは、後述の連結壁２８と第２壁２７ａとの間に配置された状態を脱し、第２壁２７ａ，２７ｂの第１，第２傾斜面７４ａ，７４ｂが回転部材２５と移動部材２６とに亘って、同一面（面一）となる。同一面となった傾斜面７４ａ，７４ｂは、移動部材２６から回転部材２５に向かうにしたがって、移動シャーシ１８から徐々に離れる方向に、前述した矢印Ｋとこの矢印Ｋに対し直交する方向との双方に交差した方向に延びている。また、上方に位置する第２壁２７ｂが移動部材２６と共に下方に移動して第２壁２７ａと後述の連結壁２８との間に配置された状態では、第１，第２傾斜面７４ａ，７４ｂは、同一面（面一）にならない。つまり、傾斜面７４ａ，７４ｂが分割された状態となる。則ち、第１，第２傾斜面７４ａ，７４ｂは、本明細書に記した分割摺動面に相当する。
【００５２】
また、前述した移動シャーシ１８と第２壁２７との間において、矢印Ｋに沿って互いの間にカム部材２４の後述のくさび部３０が位置付けられていない部分では、前述した移動シャーシ１８と第２壁２７との間隔は、ホルダ１９の数と突起２９の矢印Ｋ方向の幅との積に等しい又は略等しい。
【００５３】
回転部材２５と移動部材２６は、前述した移動シャーシ１８と第２壁２７との間に、突起２９を位置付けて、前述したホルダ１９を保持する。また、回転部材２５と移動部材２６は、軸芯周りに回転することで、前述した移動シャーシ１８と第２壁２７との間で突起２９が後述の連結壁２８から接離するように矢印Ｋに対し交差する方向に沿って移動することを許容する。このため、カム部材２４と回転部材２５と移動部材２６は、モータ２０の駆動力により、後述の離間溝３９，４０の奥に向かって突起２９が侵入する方向に移動される。さらに、カム部材２４と回転部材２５と移動部材２６は、後述の収容位置で、すべてのホルダ１９の突起２９を、移動シャーシ１８と第２壁２７との間に位置付ける。
【００５４】
カム部材２４は、図１５ないし図１８に示すように、円管状に形成されており、移動部材２６の外周に取り付けられて、回転部材２５及び移動部材２６等と同軸に配されている。カム部材２４と移動部材２６とは、カム部材２４に設けられた突起７２と、移動部材２６に設けられた突起とからなるキーにより互いに取り付けられている。カム部材２４は、前述した矢印Ｋに沿って移動自在に移動部材２６に取り付けられている。また、カム部材２４は、前述した回転部材２５及び移動部材２６と一体（連動して）に前述した軸芯周りに回転する。
【００５５】
さらに、カム部材２４の底板１１から離れた側の縁に係止溝７３が設けられている。カム部材２４の係止溝７３には、ディスク再生部５の移動シャーシ１６が係止して、取り付けられている。このため、カム部材２４は、移動シャーシ１６即ち前述した光ピックアップ６６と一体に（連動して）矢印Ｋに沿って移動する。このため、カム部材２４は、矢印Ｋに沿って、移動可能である。また、移動シャーシ１６は、カム部材２４などが軸芯周りに回転することを許容する（妨げない）。
【００５６】
さらに、カム部材２４は、くさび部３０と、案内溝３１と、連結壁２８とを備えている。くさび部３０は、前述した移動シャーシ１８と、第２壁２７との間に位置しているとともに、連結壁２８と間隔をあけて配されている。このため、カム部材２４のくさび部３０は、前述した移動シャーシ１８と第２壁２７との間を矢印Ｋに沿って移動する。くさび部３０は、連結壁２８に向かうにつれて鋭角になるように形成されている。
【００５７】
案内溝３１は、くさび部３０に設けられている。案内溝３１は、カム部材２４のくさび部３０の外周面に形成されている。即ち、案内溝３１は、カム部材２４のくさび部３０の外周面から凹に形成されている。案内溝３１の矢印Ｋに沿う溝幅は、一つの突起２９の矢印Ｋに沿う幅と略等しい。案内溝３１は、図１９ないし図３３に示すように、連結壁２８に相対する開口部３２と、ローディング部３３と、ピックアップ侵入部３４と、第１連結部３５と、クランプ部３６と、第２連結部３７と、再生部３８とを備えている。ローディング部３３と、ピックアップ侵入部３４と、クランプ部３６と、再生部３８とは、矢印Ｋに対し直交する方向に沿って延びている。第１連結部３５と、第２連結部３７とは、矢印Ｋとこの矢印Ｋに対し直交する方向との双方に対し交差する方向に沿って延びている。
【００５８】
ローディング部３３は、開口部３２に連なり、この開口部３２の連結壁２８から離れた側に配されている。ピックアップ侵入部３４は、ローディング部３３に連なり、このローディング部３３の連結壁２８から離れた側に配されている。さらに、ピックアップ侵入部３４は、ローディング部３３より回転部材２５の第２壁２７ａから離れた側に配されている。
【００５９】
第１連結部３５は、ピックアップ侵入部３４に連なり、このピックアップ侵入部３４の連結壁２８から離れた側に配されている。第１連結部３５は、ピックアップ侵入部３４から離れるのにしたがって徐々に回転部材２５の第２壁２７ａに近づく方向に延びている。クランプ部３６は、第１連結部３５に連なり、この第１連結部３５の連結壁２８から離れた側に配されている。第２連結部３７は、クランプ部３６に連なり、このクランプ部３６の連結壁２８から離れた側に配されている。第２連結部３７は、クランプ部３６から離れるのにしたがって徐々に回転部材２５の第２壁２７ａに近づく方向に延びている。再生部３８は、第２連結部３７に連なり、この第２連結部３７の連結壁２８から離れた側に配されている。
【００６０】
案内溝３１は、開口部３２を通して、突起２９が侵入することを許容する。即ち、案内溝３１内には、突起２９即ちホルダ１９が摺動可能である。さらに、案内溝３１は、ローディング部３３と、ピックアップ侵入部３４と、第１連結部３５と、クランプ部３６と、第２連結部３７と、再生部３８内に順に突起２９が移動することを許容する。
【００６１】
ローディング部３３内に位置付けられた突起２９を設けたホルダ１９は、挿入口１０と矢印Ｙに沿って相対する。そして、ローディング部３３内に位置付けられた突起２９を設けたホルダ１９は、挿入口１０を通して挿入されたＣＤ２を保持できるとともに、挿入口１０を通して保持したＣＤ２を機器本体３外に排出できる。
【００６２】
ピックアップ侵入部３４内に位置付けられた突起２９を設けたホルダ１９は、図６中下方に位置する他のホルダ１９から離れて、この図中下方に位置するホルダ１９との間に揺動シャーシ１７の他端部即ちピックアップ再生部が侵入することを許容する。クランプ部３６内に位置付けられた突起２９を設けたホルダ１９は、保持したＣＤ２をディスク再生部５のターンテーブルがクランプすることを許容する。再生部３８内に位置付けられた突起２９を設けたホルダ１９は、ターンテーブルにクランプされたＣＤ２から離されて、ターンテーブルにより回転されるＣＤ２に干渉（接触）しない。即ち、ＣＤ２が回転することを許容する。
【００６３】
連結壁２８は、前述した矢印Ｋに沿って直線状に延びている。連結壁２８は、くさび部３０に設けられた案内溝３１の開口部３２と矢印Ｋに対し直交する方向に沿って、間隔をあけて相対している。連結壁２８は、移動シャーシ１８と第２壁２７ｂとを互いに連結する格好になっている。
【００６４】
こうして、カム部材２４は、一つのＣＤ２を保持するホルダ１９の突起２９が摺動可能に係合する案内溝３１を有している。
【００６５】
前述した構成の回転部材２５と、移動部材２６と、カム部材２４とは、図１５に示すように、互いに同軸に配されている。また、移動部材２６と、カム部材２４とは、図１５ないし図１７に示すように、互いに独立して、矢印Ｋに沿って移動可能である。
【００６６】
また、前述した移動シャーシ１８とカム部材２４のくさび部３０との間は、本明細書に記した第１離間溝３９をなしている。第１離間溝３９は、移動シャーシ１８と、カム部材２４のくさび部３０の底板１１から離れた側の上面部とで構成されている。第１離間溝３９は、案内溝３１に係合する一つのＣＤ２を保持するホルダ１９より上方（矢印Ｋ１側）に位置する他のホルダ１９と係合する。
【００６７】
さらに、前述した第２壁２７とカム部材２４のくさび部３０との間は、本明細書に記した第２離間溝４０をなしている。第２離間溝４０は、第２壁２７の傾斜面７４ａ，７４ｂとカム部材２４のくさび部３０の底板１１寄りの下面部とで構成されている。第２離間溝４０は、案内溝３１に係合する一つのＣＤ２を保持するホルダ１９より下方（矢印Ｋ２側）に位置する他のホルダ１９と係合する。なお、後述するが、この第２離間溝４０は、一のホルダ１９の突起２９を案内溝３１の再生部３８に位置付ける際の溝長と、案内溝３１のローディング部３３に位置付ける際の溝長とが異なる。再生部３８に位置付ける際の溝長よりローディング部３３に位置付ける際の溝長が短い。
【００６８】
第１離間溝３９と第２離間溝４０は、案内溝３１に係合する一つのＣＤ２を保持するホルダ１９の他のホルダ１９の突起２９が侵入することを許容する（他のホルダ１９が係合する）。第１離間溝３９と第２離間溝４０は、本明細書に記した離間溝をなしている。第１離間溝３９と第２離間溝４０即ち離間溝は、一つのＣＤ２を保持するホルダ１９の他のホルダ１９が摺動可能に係合するとともに、カム部材２４と移動部材２６との相対的な移動により形成される。
【００６９】
第１離間溝３９と第２離間溝４０とは、カム部材２４と移動部材２６との相対的に矢印Ｋに沿って移動することで、互いに連動して矢印Ｋに沿った溝幅が可変する（拡がったり狭くなる）。即ち、第１及び第２離間溝３９，４０は、カム部材２４と移動部材２６との相対的な移動により矢印Ｋに沿った溝幅が相対的に可変する。また、カム部材２４が矢印Ｋに沿ってスライドした際に、第１離間溝３９の溝幅が拡がると第２離間溝４０の溝幅が狭くなり、第２離間溝４０の溝幅が拡がると第１離間溝３９の溝幅が狭くなる。
【００７０】
また、第１離間溝３９の溝幅と第２離間溝４０の溝幅との和は、ホルダ１９の数から１を引いて得られる数と一つの突起２９の矢印Ｋ方向の幅との積に等しい又は略等しい。
【００７１】
前述した構成によれば、移動シャーシ１８と第２壁２７との間に位置付けられたすべてのホルダ１９の突起２９は、モータ２０の駆動力が複数の歯車６７を介して伝達されて、回転部材２５と移動部材２６とカム部材２４とが一体に（連動して）回転（移動）することで、一つの突起２９が案内溝３１内に侵入する。残りの突起２９のうち案内溝３１に侵入した突起２９より矢印Ｋ１（図１０などに示す）側に位置するホルダ１９の突起２９が第１離間溝３９内に侵入し、案内溝３１に侵入した突起２９より矢印Ｋ２（図１０などに示す）側に位置するホルダ１９の突起２９が第２離間溝４０内に侵入する。なお、矢印Ｋ１は、前述した矢印Ｋの一方側をなしているとともに、矢印Ｋ２は、前述した矢印Ｋの他方側をなしている。
【００７２】
すべてのホルダ１９の突起２９が、案内溝３１に侵入することなく連結壁２８に近づいて移動シャーシ１８と第２壁２７との間に位置する状態は、本明細書では、ホルダ１９が収容位置に位置するという。また、カム部材２４のくさび部３０が連結壁２８と間隔をあけているため、収容位置では、第１離間溝３９と第２離間溝４０とは、一体になっている。さらに、収容位置では、複数のホルダ１９が互いに近接する。
【００７３】
突起２９が、案内溝３１の再生部３８内と、第１及び第２離間溝３９，４０の奥に侵入する状態は、本明細書では、ホルダ１９が再生位置に位置するという。再生位置では、カム部材２４のくさび部３０により、前記案内溝３１内に突起２９が侵入したホルダ１９は、収容位置より他のホルダ１９から離れる。再生位置では、情報を再生するＣＤ２を保持したホルダ１９が他のホルダ１９から離れるとともに、情報を再生するＣＤ２を保持したホルダ１９と他のホルダ１９との間に光ピックアップ６６が侵入可能になる。
【００７４】
突起２９が、移動部材２６の第２壁２７ｂと移動シャーシ１８との間に位置し、案内溝３１のローディング部３３内と、第１及び第２離間溝３９，４０に侵入した状態は、本明細書では、ホルダ１９がローディング位置に位置するという。
【００７５】
また、前述した再生位置では、第１離間溝３９内に情報を再生するＣＤ２を保持したホルダ１９以外の矢印Ｋ１側のホルダ１９の突起２９が侵入する。第１離間溝３９は、前記矢印Ｋ１側のホルダ１９を、情報を再生するＣＤ２を保持したホルダ１９から離す。
【００７６】
さらに、再生位置とローディング位置では、第２離間溝４０内に情報を再生するＣＤ２を保持したホルダ１９、又は搬送されるＣＤ２を保持するホルダ１９以外の矢印Ｋ２側のホルダ１９の突起２９が侵入する。第２離間溝４０は、前記矢印Ｋ２側のホルダ１９を、情報を再生するＣＤ２を保持したホルダ１９から離す。
【００７７】
連動移動機構２２は、図３４などに示すように、駆動源としてのモータ４１（図７に示す）と、駆動シャーシ４２（図７及び図８に示す）と、第２駆動シャーシ５３（図７及び図８に示す）と、第１突起４３と、第１孔４４と、第２突起４５と、第２孔４６とを備えている。なお、図７には、駆動シャーシ４２と第２駆動シャーシ５３を２つずつ示しているが、実際には、駆動シャーシ４２と第２駆動シャーシ５３は一つずつ設けられている。
【００７８】
連動移動機構２２は、ディスク収容部６のホルダ１９を収容位置と再生位置とに亘って移動させる際には、移動部材２６を、回転部材２５に対し矢印Ｋに沿って移動して、回転部材２５の第２壁２７ａから最も遠ざけておく。この際、第２壁２７ａ，２７ｂの第１，第２傾斜面７４ａ，７４ｂは同一面となる。そして、連動移動機構２２は、再生位置に位置付けるＣＤ２を保持したホルダ１９の突起２９が案内溝３１に侵入できる位置に、カム部材２４を位置付ける。
【００７９】
連動移動機構２２は、ディスク収容部６のホルダ１９を再生位置とローディング位置とに亘って移動させる即ちＣＤ２を機器本体３内に出し入れする際には、カム部材２４を、移動部材２６に対し矢印Ｋに沿って移動して、回転部材２５の第２壁２７ａに最も近づけておく。そして、連動移動機構２２は、ローディング位置に位置付けられた即ち出し入れされたＣＤ２を保持するホルダ１９の突起２９が案内溝３１に侵入できる位置に、移動部材２６を位置付ける。連動移動機構２２は、駆動源としてのモータ４１の駆動力により、前述したように、カム部材２４即ちディスク再生部５の移動シャーシ１６と、移動部材２６即ちディスク収容部６の移動シャーシ１８とを連動して、矢印Ｋに沿って移動する。なお、この連動移動機構２２が摺動部移動手段に相当する。
【００８０】
モータ４１は、固定シャーシ９の底板１１などに取り付けられている。駆動シャーシ４２は、板金からなり、板状に形成されている。駆動シャーシ４２の平面形状は、矩形状に形成されている。駆動シャーシ４２は、機器本体３の固定シャーシ９の周板１２に、矢印Ｋに対し直交（交差）する方向に沿って移動自在に支持されている。
【００８１】
第２駆動シャーシ５３は、板金からなり、板状に形成されている。第２駆動シャーシ５３の平面形状は、矩形状に形成されている。第２駆動シャーシ５３は、機器本体３の固定シャーシ９の周板１２に、矢印Ｋに対し直交（交差）する方向に沿って移動自在に支持されている。第２駆動シャーシ５３には、モータ４１の駆動力により回転される歯車４８と噛み合ったラック４７が形成されている。
【００８２】
第１突起４３は、ディスク収容部６の移動シャーシ１８から駆動シャーシ４２と第２駆動シャーシ５３に向かって突出している。第１孔４４は、駆動シャーシ４２と第２駆動シャーシ５３に設けられている。勿論、第１孔４４は、駆動シャーシ４２と第２駆動シャーシ５３を貫通している。第１孔４４には、図８に示すように、第１突起４３が侵入する。
【００８３】
第１孔４４は、図３４ないし図４１に示すように、第１平行部４９と第１傾斜部５０とを備えている、第１平行部４９は、前述した矢印Ｋに対し直交する方向に沿って直線状に延びている。第１傾斜部５０は、第１平行部４９の端に連なりかつ前述した矢印Ｋと該矢印Ｋに対し直交する方向との双方に対し交差する方向に沿って直線状に延びている。第１傾斜部５０は、第１平行部４９から離れるにしたがって徐々に回転部材２５の第２壁２７に近づく方向に傾斜している。
【００８４】
第２突起４５は、ディスク再生部５の移動シャーシ１６から駆動シャーシ４２に向かって突出している。第２孔４６は、駆動シャーシ４２に設けられている。勿論、第２孔４６は、駆動シャーシ４２を貫通している。第２孔４６には、第２突起４５が侵入する。
【００８５】
第２孔４６は、第２傾斜部５１と第２平行部５２とを備えている。第２傾斜部５１は、前述した矢印Ｋと該矢印Ｋに対し直交する方向との双方に対し交差する方向に沿って直線状に延びている。第２傾斜部５１は、第２平行部５２から離れるにしたがって、徐々に回転部材２５の第２壁２７から離れる方向に傾斜している。第２傾斜部５１は、第１傾斜部５０と平行である。第２平行部５２は、第２傾斜部５１の端に連なりかつ前述した矢印Ｋに対し直交する方向に沿って直線状に延びている。
【００８６】
第１突起４３が第１傾斜部５０内に位置付けられると、第２突起４５が第２平行部５２内に位置付けられる。第１突起４３が第１平行部４９内に位置付けられると、第２突起４５が第２傾斜部５１内に位置付けられる。
【００８７】
前述した連動移動機構２２は、駆動源としてのモータ４１の駆動力により、第２駆動シャーシ５３を矢印Ｋに対し直交する方向に沿って移動する。すると、第２駆動シャーシ５３の第１の孔４４内を第１突起４３が移動して、移動シャーシ１８が第２駆動シャーシ５３に対し矢印Ｋに沿って移動する。そして、駆動シャーシ４３の第１の孔４４内を第１突起４３が移動して、駆動シャーシ４３が矢印Ｋに対し直交する方向に沿って移動する。
【００８８】
このように、駆動シャーシ４２は、駆動源としてのモータ４１の駆動力により、第２駆動シャーシ５３が矢印Ｋに対し直交する方向に沿ってスライドすることで、矢印Ｋに対し直交する方向に沿ってスライドする。即ち、駆動シャーシ４２は、駆動源としてのモータ４１の駆動力により、矢印Ｋに対し交差（直交）する方向に沿って固定シャーシ９の周板１２に対し移動される。このため、連動移動機構２２即ち分離機構７は、カム部材２４と移動部材２６との各々を矢印Ｋに沿って駆動（移動）する単一の駆動源としてのモータ４１を備えている。
【００８９】
連動移動機構２２は、駆動源としてのモータ４１の駆動力により、ホルダ１９をローディング位置に位置付ける際即ちＣＤ２を機器本体３内に出し入れする際には、第２突起４５が第２平行部５２内を移動し、第１突起４３が第１傾斜部５０内を移動する位置に駆動シャーシ４２を位置付ける。前述した連動移動機構２２は、駆動源としてのモータ４１の駆動力により、ホルダ１９を再生位置と収容位置とに亘って移動する際には、第２突起４５が第２傾斜部５１内を移動し、第１突起４３が第１平行部４９内を移動する位置に駆動シャーシ４２を位置付ける。
【００９０】
なお、連動移動機構２２により、第２突起４５が第２平行部５２内に位置付けられると、カム部材２４が最も回転部材２５の第２壁２７ａに近づく。最も回転部材２５の第２壁２７ａに近づいたカム部材２４の案内溝３１のローディング部３３内に突起２９が位置付けられたホルダ１９は、前述した挿入口１０を通して出し入れされるＣＤ２を保持できる位置に位置付けられる。
【００９１】
前述した構成のＣＤチェンジャ１は、機器本体３内に収容した複数のＣＤ２のうち前述した操作部などにより任意に選択された一つのＣＤ２の情報を読み出す際には、図１９に示すように、モータ２０の駆動力によりすべてのホルダ１９の突起２９を連結壁２８に接触させておく。さらに、ディスク再生部５の揺動シャーシ１７の他端部即ちターンテーブルとピックアップ再生部を、複数のＣＤ２間から退避させておく。また、駆動源としてのモータ４１の駆動力により、図３４に示すように、第１突起４３が第１孔４４の第１平行部４９内に位置する位置に駆動シャーシ４２を位置付ける。そして、図１９に示すように、移動部材２６に取り付けられた移動シャーシ１８を回転部材２５の第２壁２７ａから最も遠ざけておく。
【００９２】
そして、駆動源としてのモータ４１の駆動力により、図３５に示すように、第２突起４５が第２孔４６の第２傾斜部５１内を移動して、情報が読み出される任意に選択された一つのＣＤ２を保持したホルダ１９の突起２９が案内溝３１に矢印Ｋに対し直交する方向に沿って相対する位置に、駆動シャーシ４２を位置付ける。そして、図１１及び図２０に示すように、カム部材２４の案内溝３１を、矢印Ｋに対し直交する方向に沿って、情報が読み出される任意に選択された一つのＣＤ２を保持したホルダ１９の突起２９と相対させる。なお、図１１及び図２０では、図中上から四つ目のホルダ１９の突起２９とカム部材２４に設けられた案内溝３１とを相対させている。
【００９３】
そして、モータ２０の駆動力により、回転部材２５と移動部材２６及びカム部材２４を一体に回転させる。そして、すべてのホルダ１９の突起２９が、連結壁２８から徐々に離れる。すると、図２１に示すように、情報が読み出される任意に選択された一つのＣＤ２を保持したホルダ１９の突起２９が、案内溝３１の開口部３２に侵入する。さらに、他のＣＤ２を保持したホルダ１９の突起２９が、カム部材２４のくさび部３０に接触するとともに、第１及び第２離間溝３９，４０に係合して溝内を移動する。なお、第２離間溝４０内では同一面（面一）となった第１，第２傾斜面７４ａ，７４ｂに沿って摺動する。
【００９４】
さらに、モータ２０の駆動力により、回転部材２５と移動部材２６及びカム部材２４を一体に回転させると、図２２に示すように、情報が読み出される任意に選択された一つのＣＤ２を保持したホルダ１９の突起２９がローディング部３３内に位置する。
【００９５】
その後、図２３に示すように、前述した一つのＣＤ２を保持したホルダ１９の突起２９が案内溝３１のピックアップ侵入部３４内に位置する。このとき、揺動シャーシ１７が、一端部を中心として回転して、他端部即ちターンテーブルとピックアップ再生部が前述した一つのＣＤ２と他のＣＤ２との間に侵入する。
【００９６】
そして、前述した一つのＣＤ２を保持したホルダ１９の突起２９が、第１連結部３５内を通り、図２４に示すように、クランプ部３６内に位置する。このとき、ディスク再生部５のターンテーブルが前述した一つのＣＤ２をクランプする。そして、前述した一つのＣＤ２を保持したホルダ１９の突起２９が、第２連結部３７内を通り、図１２及び図２５に示すように、再生部３８内に位置する。
【００９７】
さらに、前述した一つのＣＤ２の矢印Ｋ１側に位置するＣＤ２を保持したホルダ１９の突起２９が、カム部材２４のくさび部３０により第１離間溝３９の奥即ち連結壁２８から離れた側に移動する。さらに、前述した一つのＣＤ２の矢印Ｋ２側に位置するＣＤ２を保持したホルダ１９の突起２９が、同一面（面一）になった第１，第２傾斜面７４ａ，７４ｂに沿って摺動することにより第２離間溝４０の奥即ち連結壁２８から離れた側に移動する。
【００９８】
そして、図１２及び図２５に示すように、カム部材２４のくさび部３０に設けられた案内溝３１により、前述した一つのＣＤ２を保持したホルダ１９が位置決めされる。さらに、カム部材２４のくさび部３０と、移動シャーシ１８及び第２壁２７とにより即ち第１及び第２離間溝３９，４０により、前述した一つのＣＤ２を保持したホルダ１９を他のホルダ１９から離す。さらに、他のホルダ１９を、第１及び第２離間溝３９，４０により、位置決めする。
【００９９】
さらに、前述した一つのＣＤ２を保持したホルダ１９の突起２９が再生部３８内に位置すると、該ホルダ１９が、ディスク再生部５のターンテーブルによりクランプされたＣＤ２から遠ざけられる。そして、ホルダ１９にＣＤ２の回転が妨げられることが防止される。ターンテーブルがクランプしたＣＤ２を回転するとともに、ピックアップ再生部の光ピックアップ６６がＣＤ２の所望の位置から情報を読み出す。前述した一つのＣＤ２からの情報の読み出しを停止する際には、モータ２０の駆動力により、回転部材２５と移動部材２６及びカム部材２４を先ほどと逆向きに回転する。
【０１００】
前述したように、分離機構７は、カム部材２４を矢印Ｋに沿って移動して、第１離間溝３９の溝幅と第２離間溝４０の溝幅とを連動して拡縮することで、所望のＣＤ２を保持したホルダ１９を位置決めするとともに他のホルダ１９から離す。このように、分離機構７は、一つのＣＤ２を保持したホルダ１９と他のホルダ１９とを、矢印Ｋに沿って、離間する。
【０１０１】
例えば、図２６に示すように、図中下から二番目のＣＤ２を保持したホルダ１９を再生位置に位置付ける際や、図２７に示すように、図中上から二番目のＣＤ２を保持したホルダ１９を再生位置に位置付ける際も同様である。なお、図２６及び図２７に示す状態では、図３６及び図３７に示すように、第１突起４３が第１平行部４９内に位置するとともに、第２突起４５が第２傾斜部５１内に位置する。
【０１０２】
また、前述した構成のＣＤチェンジャ１は、操作部などに命令により、機器本体３内に収容した複数のＣＤ２のうち任意に選択された一つのＣＤ２を機器本体３外に排出したり、ＣＤ２を機器本体３内に挿入して任意に選択された一つのホルダ１９に保持させる際には、図１０、図１３及び図２８に示すように、モータ２０の駆動力によりすべてのホルダ１９の突起２９を連結壁２８に接触させておく。さらに、ディスク再生部５の揺動シャーシ１７の他端部即ちターンテーブルとピックアップ再生部を、複数のＣＤ２間から退避させておく。
【０１０３】
また、図３８に示すように、駆動源としてのモータ４１の駆動力により第２突起４５が第２孔４６の第２平行部５２内に位置する位置に駆動シャーシ４２を位置付ける。そして、図１０、図１３及び図２８に示すように、カム部材２４を回転部材２５の第２壁２７ａに最も近づけておく。
【０１０４】
そして、駆動源としてのモータ４１の駆動力により、図３９に示すように、第１突起４３が第１孔４４の第１傾斜部５０内を移動して、機器本体３内に挿入されたＣＤ２を保持する又は保持したＣＤ２を機器本体３外に排出する一つのホルダ１９の突起２９が案内溝３１に矢印Ｋに対し直交する方向に沿って相対する位置に、駆動シャーシ４２を位置付ける。この際、第２壁２７ａの第１傾斜面７４ａと同一面（面一）の状態にある第２壁２７ｂの第２傾斜面７４ｂは移動部材２６の下方への移動に伴い移動される。そして、傾斜面７４ａ，７４ｂの一部が分割される。
【０１０５】
そして、図１０、図１３及び図２９に示すように、カム部材２４の案内溝３１を、矢印Ｋに対し直交する方向に沿って、前述した一つのホルダ１９の突起２９と相対させる。なお、図１０、図１３及び図２９では、図中上から四つ目のホルダ１９の突起２９とカム部材２４に設けられた案内溝３１とを相対させている。
【０１０６】
そして、モータ２０の駆動力により、回転部材２５と移動部材２６及びカム部材２４を一体に回転させる。そして、すべてのホルダ１９の突起２９が、連結壁２８から徐々に離れる。すると、図３０に示すように、前述した一つのホルダ１９の突起２９が、案内溝３１の開口部３２に侵入する。さらに、前述した他のホルダ１９の突起２９が、カム部材２４のくさび部３０に接触するとともに、第１及び第２離間溝３９，４０に係合して溝内を移動する。なお、第２離間溝４０の溝長は上述した一のホルダ１９の突起２９を案内溝３１の再生部３８に位置付ける際の溝長より短くなっている。この溝長は、第２壁２７ｂの第２傾斜面７４ｂの長さのみとなるため、不要な第２離間溝４０の溝長を削除することができる。つまり、他のホルダ１９を摺動させるために必要な第２傾斜面７４ｂをもつ第２壁２７ｂのみを下方に移動させて傾斜面７４ａ，７４ｂを分割させているため、記録媒体（ＣＤ２）を搬送する際に不要となる第１傾斜面７４ａを下方に移動させず、装置１自体の高さ方向Ｚの厚みを大きくさせない。
【０１０７】
さらに、モータ２０の駆動力により、回転部材２５と移動部材２６及びカム部材２４を一体に回転させると、図１４及び図３１に示すように、前述した一つのホルダ１９の突起２９が、案内溝３１のローディング部３３内に位置する。さらに、前述した他のホルダ１９の突起２９が、カム部材２４のくさび部３０により第１離間溝３９及び第２離間溝４０に係合して移動し、第２離間溝４０においては第２壁２７ｂの第２傾斜面７４ｂに沿って摺動する。
【０１０８】
そして、図１４及び図３１に示すように、カム部材２４のくさび部３０に設けられた案内溝３１により、前述した一つのホルダ１９がローディング位置に位置決めされる。さらに、カム部材２４のくさび部３０と移動シャーシ１８及び第２壁２７とにより即ち第１及び第２離間溝３９，４０により、前述した一つのホルダ１９を他のホルダ１９から離す。さらに、第１及び第２離間溝３９，４０により、他のホルダ１９を位置決めする。
【０１０９】
そして、駆動源としてのモータ４１の駆動力によりローラ１４がＣＤ２を出し入れする方向に応じて回転する。ローラ１４が回転することで、挿入口１０を通して機器本体３内にＣＤ２の出し入れが行われる。前述したＣＤ２の出し入れを停止する際には、ローラ１４の回転を停止するとともに、モータ２０の駆動力により、回転部材２５と移動部材２６及びカム部材２４を先ほどと逆向きに回転する。
【０１１０】
前述したように、カム部材２４を矢印Ｋに沿って移動することで、第１離間溝３９の溝幅と第２離間溝４０の溝幅とを連動して拡縮することで、所望のホルダ１９をローディング位置に位置決めするとともに他のホルダ１９から離す。例えば、図３２に示すように、図中上から二番目のホルダ１９をローディング位置に位置付ける際や、図３３に示すように、図中下から二番目のホルダ１９をローディング位置に位置付ける際も同様である。なお、図３２及び図３３に示す状態では、図４０及び図４１に示すように、第２突起４５が第２平行部５２内に位置するとともに、第１突起４３が、第１傾斜部５０内に位置する。
【０１１１】
本実施例によれば、任意に選択されたＣＤ２を保持したホルダ１９の突起２９を案内溝３１に係合させる。選択されたホルダ１９の矢印Ｋ１側（上方）の他のホルダ１９の突起２９を第１離間溝３９に係合させ、かつ矢印Ｋ２側（下方）の他のホルダ１９の突起２９を第２離間溝４０に係合させる。こうして、突起２９を案内溝３１と第１離間溝３９と第２離間溝４０に係合させて、選択されたＣＤ２を他のＣＤ２から離して、選択されたＣＤ２から情報を読み出す。
【０１１２】
また、離間溝拡縮機構２１により、第１及び第２離間溝３９，４０の溝幅が互いに連動して（相対的に）変化するとともに、第１離間溝３９の溝幅と第２離間溝４０の溝幅の和がホルダ１９の数から１を引いて得られた数と突起２９の幅との積に略等しい。このため、がたつくことなく、前述した選択されたＣＤ２を保持したホルダ１９と、他のホルダ１９を位置決めできる。
【０１１３】
このため、コイルばねを設けることなく、離間溝拡縮機構２１が第１及び第２離間溝３９，４０の溝幅を連動して（相対的に）変化することで、選択された任意のＣＤ２を保持したホルダ１９を、他のホルダ１９から離すことができる。これにより、ＣＤチェンジャ１が自動車などに搭載されて、走行中などの振動が作用しても、ホルダ１９が振動することを防止できる。したがって、確実に任意に選択されたＣＤ２を保持したホルダ１９を確実に再生位置に位置付けることができる。自動車などに搭載されて、走行中などの振動が作用しても、任意に選択されたＣＤ２の情報を確実に再生することができる。
【０１１４】
離間溝拡縮機構２１が、移動部材２６と、この移動部材２６に矢印Ｋに沿って移動自在に設けられたカム部材２４とを備えている。移動部材２６に取り付けられた移動シャーシ１８とカム部材２４のくさび部３０との間が第１離間溝３９を形成し、移動部材２６の第２壁２７とカム部材２４のくさび部３０との間が第２離間溝４０を形成し、カム部材２４のくさび部３０に案内溝３１が形成されている。
【０１１５】
このため、カム部材２４を矢印Ｋに沿ってスライドすることで、第１及び第２離間溝３９，４０の溝幅を確実に連動して（相対的に）変化できる。さらに、任意に選択された情報が再生されるＣＤ２を保持したホルダ１９の位置に応じて、カム部材２４がスライドする。したがって、確実に任意に選択されたＣＤ２を保持したホルダ１９を確実に再生位置に位置付けることができる。
【０１１６】
カム部材２４と光ピックアップ６６とが一体に（連動して）移動するので、カム部材２４と光ピックアップ６６との相対的な位置が常に一定に保たれる。このため、カム部材２４に設けられた案内溝３１により再生位置に位置決めされたホルダ１９に保持されたＣＤ２から光ピックアップ６６で情報を確実に再生することができる。
【０１１７】
ＣＤ２から情報を読み出す際には、移動部材２６を矢印Ｋ１側に移動させて、選択された情報を再生するＣＤ２を保持したホルダ１９の位置に応じて、カム部材２４をスライドさせる。このため、ＣＤ２から情報を読み出す際には、任意のＣＤ２を再生位置に位置付けることができる。したがって、任意のＣＤ２から情報を読み出して再生できる。
【０１１８】
また、ＣＤ２を出し入れする際には、カム部材２４を矢印Ｋ２側に移動させて、このカム部材２４の位置と出し入れするＣＤ２に対応したホルダ１９の位置に応じて、移動部材２６をスライドさせる。このため、機器本体３に出し入れされるＣＤ２を保持する又は保持したホルダ１９と機器本体３との相対的な位置を一定に保つことができる。このため、ＣＤ２を挿入口１０内を通して確実に出し入れすることができるとともに、機器本体３内に挿入されたＣＤ２をホルダ１９に確実に保持できる。
【０１１９】
また、連動移動機構２２により、ホルダ１９を収容位置と再生位置とに亘って移動することと、ホルダ１９をローディング位置に位置決めすることを一連の動作で行うことができる。このため、部品点数の削減とコストの低減を図ることができる。さらに、ホルダ１９を収容位置と再生位置とに亘って移動する状態とＣＤ２を出し入れする状態とをスムーズに切り換えることができる。
【０１２０】
連動移動機構２２が、第１孔４４と第２孔４６が設けられた駆動シャーシ４２と、ディスク収容部６の移動シャーシ１８に設けられた第１突起４３と、ディスク再生部５の移動シャーシ１６に設けられた第２突起４５とを備えている。第１孔４４は、第１傾斜部５０と第１平行部４９とからなり、第２孔４６は、第２傾斜部５１と第２平行部５２とからなる。
【０１２１】
ＣＤ２を出し入れする際には、第２突起４５が第２平行部５２内を移動し、第１突起４３が第１傾斜部５０内を移動する。これにより、ＣＤ２を出し入れする際には、ディスク再生部５の移動シャーシ１８即ちカム部材２４が、スライドせずに、位置決めされる。さらに、ＣＤ２を出し入れする際には、ディスク収容部６の移動シャーシ１８と移動部材２６即ちホルダ１９が、矢印Ｋに沿って移動する。
【０１２２】
このため、機器本体３に出し入れされるＣＤ２を保持する又は保持したホルダ１９と機器本体３との相対的な位置を一定に保つことができる。したがって、挿入口１０内を通して、ＣＤ２を確実に出し入れすることができるとともに、機器本体３内に挿入したＣＤ２をホルダ１９に確実に保持できる。
【０１２３】
ホルダ１９を収容位置と再生位置とに亘って移動する際には、第１突起４３が第１平行部４９内を移動し、第２突起４５が第２傾斜部５１内を移動する。これにより、ホルダ１９を収容位置と再生位置とに亘って移動する際には、ディスク収容部６の移動シャーシ１８と移動部材２６即ちホルダ１９を、スライドせずに位置決めできる。さらに、ホルダ１９を収容位置と再生位置とに亘って移動する際には、ディスク再生部５の移動シャーシ１６即ちカム部材２４が、矢印Ｋに沿って移動する。
【０１２４】
このため、ＣＤ２から情報を読み出す際には、任意のＣＤ２を再生位置に確実に位置決めすることができる。したがって、任意のＣＤ２から情報を読み出して再生できる。
【０１２５】
移動部材２６が円柱状に形成され、カム部材２４が円管状に形成されている。移動シャーシ１８と第２壁２７は移動部材２６の両縁に設けられている。移動部材２６とカム部材２４と回転部材２５は、同軸に配され、モータ２０の駆動力により一体に回転する。このように、移動部材２６とカム部材２４と回転部材２５を回転することで、ホルダ１９を収容位置と再生位置とに亘って移動できる。したがって、移動部材２６とカム部材２４と回転部材２５の移動軌跡を最小限にすることができ、機器本体３即ちＣＤチェンジャ１の小型化を図ることができる。
【０１２６】
さらに、カム部材２４と移動部材２６とを矢印Ｋに沿ってスライドすることを単一のモータ４１で行っている。このため、部品点数を抑制でき、ＣＤチェンジャ１の小型化と低コスト化を図ることができる。
【０１２７】
また、ＣＤ２を再生するときとＣＤ２を搬送するときとで、他のホルダ１９の突起２９が摺動する離間溝の溝長を変えている。つまり、他のホルダ１９の突起２９を摺動する摺動面を分割するようにし、ＣＤ２を搬送するときに不要となる摺動面を移動させず、必要な摺動面のみを移動させて、その溝長を可変している。このことにより、不要な摺動面の移動により生じる装置の大型化を回避し、薄型化を図ることが可能となる。
【０１２８】
前述した実施例では、記録媒体としてのＣＤ２を複数収容するＣＤチェンジャ１を示している。しかしながら、本発明では、例えば、記録媒体としてのＭＤ（Mini Disc）を複数収容するＭＤチェンジャや、例えば、ＤＶＤ（Digital Versatile Disc）などの他の記録媒体を複数収容する記録媒体再生装置に適用しても良い。
【０１２９】
また、前述した実施形態では、カム部材２４と回転部材２５と移動部材２６等を円柱状に形成し、軸芯周りに回転することで、これらを移動している。しかしながら、本発明では、カム部材２４と回転部材２５と移動部材２６等を例えば板状などの円管及び円管状以外の形状に形成し、例えば、スライドなどの軸芯周りの回転以外の方向にこれらを移動しても良い。
【０１３０】
さらに、前述した実施形態では、カム部材２４と光ピックアップ６６とを一体に移動している。しかしながら、本発明では、カム部材２４と光ピックアップ６６とを必ずしも一体に移動しなくても良い。要するに、本発明では、カム部材２４と光ピックアップ６６とを連動させて移動することで、これらの相対的な位置間隔を一定に保つことができれば良い。
【０１３１】
また、前述した実施例では、連動移動機構２２により、カム部材２４の移動と、移動部材２６の移動とを、一つの駆動源により行えるようにしている。しかしながら、カム部材２４の移動と、移動部材２６の移動とを、互いに独立した駆動源により行っても良い。
【０１３２】
なお、前述した実施例は本発明の代表的な形態を示したに過ぎず、本発明は、実施例に限定されるものではない。前述した実施例ではカム部材、移動部材について説明しているがこれにとらわれることなく、本発明の骨子を逸脱しない範囲で種々変形して実施することができる。
【図面の簡単な説明】
【０１３３】
【図１】従来の記録媒体再生装置の要部を模式的に示す説明図である。
【図２】図1に示されたカム部材のカム孔を一つの保持部材の突起と相対させた状態を模式的に示す説明図である。
【図３】図２に示された状態からカム部材を保持部材に近づけてカム孔内に突起を挿入した状態を模式的に示す説明図である。
【図４】図３に示されたカム孔の奥に突起を位置付けた状態を模式的に示す説明図である。
【図５】本発明の一実施例にかかる記録媒体再生装置としてのＣＤチェンジャの外観を示す斜視図である。
【図６】図５に示されたＣＤチェンジャの互いに組み付けられた固定シャーシとディスク搬送部とディスク再生部とディスク収容部と分離機構を示す斜視図である。
【図７】図６に示された固定シャーシとディスク再生部とディスク収容部との一部を分解して示す斜視図である。
【図８】図７に示されたディスク収容部と駆動シャーシとの組み付け状態を示す斜視図である。
【図９】図６に示されたディスク収容部のホルダと離間溝拡縮機構とを示す斜視図である。
【図１０】図９に示された離間溝拡縮機構を拡大して示す斜視図である。
【図１１】図１０に示された離間溝拡縮機構のカム部材が回転部材の第２壁から離れて一つのホルダの突起と案内溝とが相対した状態を示す斜視図である。
【図１２】図１１に示された状態の離間溝拡縮機構の移動部材を回転して突起を案内溝の再生部に位置付けた状態を示す斜視図である。
【図１３】図１０に示された離間溝拡縮機構のカム部材が回転部材の第２壁に最も近づいて一つのホルダの突起と案内溝とが相対した状態を示す斜視図である。
【図１４】図１３に示された状態の離間溝拡縮機構の移動部材を回転して突起を案内溝のローディング部に位置付けた状態を示す斜視図である。
【図１５】図１０に示された離間溝拡縮機構を拡大して示す斜視図である。
【図１６】図１５に示された離間溝拡縮機構のカム部材と移動部材が最も上方に位置した状態を示す斜視図である。
【図１７】図１５に示された離間溝拡縮機構の移動部材が最も上方に位置しカム部材が中央部に位置した状態を示す斜視図である。
【図１８】図１５に示された離間溝拡縮機構を分解して示す斜視図である。
【図１９】図１０に示された離間溝拡縮機構の移動部材とカム部材をこれらの周方向に展開して示す展開図である。
【図２０】図１９に示されたカム部材の案内溝を一つのホルダの突起と相対させた状態を模式的に示す展開図である。
【図２１】図２０に示された状態から移動部材を回転して、案内溝内に突起を挿入し始めた状態を模式的に示す展開図である。
【図２２】図２１に示された状態から移動部材を更に回転して、案内溝のローディング部内に突起が位置した状態を模式的に示す展開図である。
【図２３】図２２に示された状態から移動部材を更に回転して、案内溝のピックアップ侵入部内に突起が位置した状態を模式的に示す展開図である。
【図２４】図２３に示された状態から移動部材を更に回転して、案内溝のクランプ部内に突起を位置付けた状態を模式的に示す展開図である。
【図２５】図２４に示された状態から移動部材を更に回転して、案内溝の再生部内に突起を位置付けた状態を模式的に示す展開図である。
【図２６】図２５に示された下から２つ目のホルダの突起を案内溝の再生部内に位置付けた状態を模式的に示す展開図である。
【図２７】図２５に示された上から２つ目のホルダの突起を案内溝の再生部内に位置付けた状態を模式的に示す展開図である。
【図２８】図１９に示されたカム部材を回転部材の第２壁に最も近づけた状態を模式的に示す展開図である。
【図２９】図２８に示されたカム部材の案内溝に一つのホルダの突起を相対させた状態を模式的に示す展開図である。
【図３０】図２９に示された状態から移動部材を回転して、案内溝内に突起を挿入し始めた状態を模式的に示す展開図である。
【図３１】図３０に示された状態から移動部材を更に回転して、案内溝のローディング部内に突起を位置付けた状態を模式的に示す展開図である。
【図３２】図３１に示された上から２つ目の保持部材の突起を案内溝のローディング部内に位置付けた状態を模式的に示す展開図である。
【図３３】図３１に示された下から２つ目の保持部材の突起を案内溝のローディング部内に位置付けた状態を模式的に示す展開図である。
【図３４】図１９に示された状態の連動移動機構を示す平面図である。
【図３５】図２０に示された状態の連動移動機構を示す平面図である。
【図３６】図２６に示された状態の連動移動機構を示す平面図である。
【図３７】図２７に示された状態の連動移動機構を示す平面図である。
【図３８】図２８に示された状態の連動移動機構を示す平面図である。
【図３９】図２９に示された状態の連動移動機構を示す平面図である。
【図４０】図３２に示された状態の連動移動機構を示す平面図である。
【図４１】図３３に示された状態の連動移動機構を示す平面図である。
【符号の説明】
【０１３４】
１  ＣＤチェンジャ（記録媒体再生装置）
２  ＣＤ（記録媒体）
６  ディスク収容部（収容部）
７  分離機構（分離手段）
１８  移動シャーシ（第１壁）
１９  ホルダ（保持部材）
２２  連動移動機構（摺動部移動手段）
２４  カム部材（第１部材）
２５  回転部材
２６  移動部材（第２部材）
２７  第２壁（摺動部）
２７ａ  第２壁（第１摺動部）
２７ｂ  第２壁（第２摺動部）
３１  案内溝
３９  第１離間溝（離間溝）
４０  第２離間溝（離間溝）
４１  モータ（駆動源）
４２  駆動シャーシ
４３  第１突起
４４  第１孔
４５  第２突起
４６  第２孔
４９  第１平行部
５０  第１傾斜部
５１  第２傾斜部
５２  第２平行部
６０  移動機構（移動手段）
６６  光ピックアップ（再生手段）
７４ａ  第１傾斜面（傾斜面、摺動面、分割摺動面）
７４ｂ  第２傾斜面（傾斜面、摺動面、分割摺動面）
Ｋ  ホルダ（保持部材）の配列方向
Ｋ１  一方側
Ｋ２  他方側
【図１】
2005276356.tif 000003
【図２】
2005276356.tif 000004
【図３】
2005276356.tif 000005
【図４】
2005276356.tif 000006
【図５】
2005276356.tif 000007
【図６】
2005276356.tif 000008
【図７】
2005276356.tif 000009
【図８】
2005276356.tif 000010
【図９】
2005276356.tif 000011
【図１０】
2005276356.tif 000012
【図１１】
2005276356.tif 000013
【図１２】
2005276356.tif 000014
【図１３】
2005276356.tif 000015
【図１４】
2005276356.tif 000016
【図１５】
2005276356.tif 000017
【図１６】
2005276356.tif 000018
【図１７】
2005276356.tif 000019
【図１８】
2005276356.tif 000020
【図１９】
2005276356.tif 000021
【図２０】
2005276356.tif 000022
【図２１】
2005276356.tif 000023
【図２２】
2005276356.tif 000024
【図２３】
2005276356.tif 000025
【図２４】
2005276356.tif 000026
【図２５】
2005276356.tif 000027
【図２６】
2005276356.tif 000028
【図２７】
2005276356.tif 000029
【図２８】
2005276356.tif 000030
【図２９】
2005276356.tif 000031
【図３０】
2005276356.tif 000032
【図３１】
2005276356.tif 000033
【図３２】
2005276356.tif 000034
【図３３】
2005276356.tif 000035
【図３４】
2005276356.tif 000036
【図３５】
2005276356.tif 000037
【図３６】
2005276356.tif 000038
【図３７】
2005276356.tif 000039
【図３８】
2005276356.tif 000040
【図３９】
2005276356.tif 000041
【図４０】
2005276356.tif 000042
【図４１】
2005276356.tif 000043